(57)【要約】【課題】前面板などを切断して設けた仕切り板を内側に折り曲げて、対向する後面板などに仕切り貼着片で貼着させた包装箱において、製函工程で、サック貼りして周壁の角筒状をつぶす様に折り畳んだ状態に胴部を形成した後に、前面板などの切断した部分が浮いてしまって、集積などで積み重ねるときに、この浮いた部分に他の包装箱が挟み込まれてしまうことがない仕切り付き包装箱を提供する。【解決手段】２対の対向する面板が連設されて角筒状の周壁が形成され、面板（前面板３）を切断して仕切り板８と仕切り板に連設された仕切り貼着板９を設け、仕切り貼着板を、仕切り板を設けた面板に対向する面板に貼着することによって、仕切り板で包装箱の内部を仕切るようにした仕切り付き包装箱であって、周壁の角筒状をつぶす様に折り畳んだ状態で、仕切り貼着板と仕切り板を設けた面板の間の切断部分に、切断可能なつなぎ部１０が設けられ接続している。【選択図】図２
2014237453.tif 000002
【特許請求の範囲】
【請求項１】
２対の対向する面板が連設されて角筒状の周壁が形成され、前記面板を切断して仕切り板と該仕切り板に連設された仕切り貼着板を設け、該仕切り貼着板を、前記仕切り板を設けた面板に対向する面板に貼着することによって、前記仕切り板で包装箱の内部を仕切るようにした仕切り付き包装箱であって、
前記周壁の角筒状をつぶす様に折り畳んだ状態で、前記仕切り貼着板と前記仕切り板を設けた面板の間の切断部分に、切断可能なつなぎ部が設けられ、接続していることを特徴とする仕切り付き包装箱。
【発明の詳細な説明】
【技術分野】
【０００１】
本発明は、仕切り付き包装箱に関するものである。
【背景技術】
【０００２】
複数の物品を合わせて包装する包装箱には、物品どうしが混ざらないように、あるいは、物品どうしがぶつかり合わないように、仕切りを設けているものがある。仕切りは、包装箱とは別部材で設けているものもあるが、包装箱と一体となって設けられているものもある。
【０００３】
例えば、前面板、後面板及び一対の側面板を連設し、これらを角筒状に折り曲げ、周壁を形成した包装箱において、前面板の上縁に仕切り板を連設し、この仕切り板を下方へ折り曲げ、その上縁部及び下縁部を前面板の裏面に貼着し、これらの貼着部に挟まれた仕切り板の中間部に、切込及び垂直折目により複数の仕切り片とその上部を繋ぐ後貼片とを形成し、仕切り板を後面板へ向けて起立させ、後貼片を後面板の裏面に貼り着けた中仕切付包装箱がある（特許文献１）。
【０００４】
前述の中仕切付包装箱は、前面板の上端に延設して仕切り板を設けているが、前面板などを切断して設けた仕切り板を内側に折り曲げて、対向する後面板などに仕切り貼着片で貼着させた包装箱もある。
【０００５】
この場合、製函工程で、サック貼りして、周壁の角筒状をつぶす様に折り畳んだ状態に胴部を形成した後に、前面板の切断した部分が浮いてしまって、集積などで積み重ねるときに、この浮いた部分に、他の包装箱が挟み込まれてしまうことがあって、著しく生産性が損なわれることがあった。
【０００６】
公知文献を以下に示す。
【先行技術文献】
【特許文献】
【０００７】
【特許文献１】特開２００１−７２０４７号公報
【発明の概要】
【発明が解決しようとする課題】
【０００８】
本発明は上記した事情に鑑みてなされたもので、前面板などを切断して設けた仕切り板を内側に折り曲げて、対向する後面板などに仕切り貼着片で貼着させた包装箱において、製函工程で、サック貼りして、周壁の角筒状をつぶす様に折り畳んだ状態に胴部を形成した後に、前面板などの切断した部分が浮いてしまって、集積などで積み重ねるときに、この浮いた部分に、他の包装箱が挟み込まれてしまうことがない仕切り付き包装箱を提供することを課題としている。
【課題を解決するための手段】
【０００９】
本発明は係る課題に鑑みなされたものであり、請求項１の発明は、２対の対向する面板が連設されて角筒状の周壁が形成され、前記面板を切断して仕切り板と該仕切り板に連設された仕切り貼着板を設け、該仕切り貼着板を、前記仕切り板を設けた面板に対向する面板に貼着することによって、前記仕切り板で包装箱の内部を仕切るようにした仕切り付き包装箱であって、
前記周壁の角筒状をつぶす様に折り畳んだ状態で、前記仕切り貼着板と前記仕切り板を設
けた面板の間の切断部分に、切断可能なつなぎ部が設けられ、接続していることを特徴とする仕切り付き包装箱である。
【発明の効果】
【００１０】
本発明の仕切り付き包装箱は、前面板などを切断して設けた仕切り板を内側に折り曲げて、対向する後面板などに貼着片で貼着させた包装箱において、製函工程で、角筒状に周壁を形成した後も、前面板などの切断した部分が浮いてしまって、集積などで積み重ねるときに、この浮いた部分に、他の包装箱が挟み込まれてしまうことがない。そして、このトラブルによって、著しく生産性がそこなわれることがない。
【図面の簡単な説明】
【００１１】
【図１】本発明の仕切り付き包装箱はこの一例の展開図である。
【図２】図１の点線の丸で囲んだ部分Ａの拡大図である。
【図３】本発明の仕切り付き包装箱の一例を製函するために貼着した状態を模式的に示した説明図である。
【図４】従来の仕切り付き包装箱の一例を製函するために貼着した状態を模式的に示した説明図である。
【図５】本発明の仕切り付き包装箱の一例の製函した状態を模式的に正面で示した説明図である。
【図６】本発明の仕切り付き包装箱の一例の製函した状態を模式的に平面で示した説明図である。
【図７】本発明の仕切り付き包装箱の一例を製函し、閉じた状態を模式的に斜視で示した説明図である。
【発明を実施するための形態】
【００１２】
以下、本発明を実施するための形態につき説明する。
図１は、本発明の包材の一例を模式的に断面で示した説明図である。図２は、図１の点線の丸で囲んだ部分Ａの拡大図である。
尚、図の一点鎖線や二点鎖線は、押罫や、切れ込みと押罫を交互に入れたリード罫などの折罫である。
【００１３】
本例の仕切り付き包装箱１００のブランクは、図１の展開図に示すように、後面板１、左側面板２、前面板３、右側面板４が連設されていて、後面板１の左には貼着板５が設けられている。この貼着板５のおもて面を右側面板４の裏面に貼着することによって、後面板１と前面板３が対向し、左側面板２と右側面板４が対向し、２対の対向する面板が連設されて、角筒状の周壁が形成される。
【００１４】
前面板３には、右側に上から切り欠いた切り欠き部６が設けられている。そして、その左側には、下に切り抜き部７と、その上に、前面板３との間に折罫を介して仕切り板８と、更に折罫を介して仕切り貼着板９が、切断部を設けることによって形成されている。
【００１５】
そして、図２の部分拡大図のように、仕切り貼着板９と前面板３の間の切断部分は、容易に切断可能なつなぎ部１０が設けられ、接続している。つなぎ部１０の長さＸは、０．５ｍｍから１．０ｍｍで、間隔Ｙが、５から１０ｍｍになるように設けることが好ましい。
【００１６】
後面板１の下端には、後部底板１１が設けられ、後部底板１１の右端には、折罫を介して、貼合板１２が設けられている。また、前面板３の下端には、前部底板１３が設けられ、前部底板１３の右端には、折罫を介して、貼合板１４が設けられている。
【００１７】
また、前面板３と前部底板１３の間の折罫にのるように切り込み線による差込部１５、１６が設けられている。そして、左側面板２と右側面板４の下端には、底フラップ１７、１８がそれぞれ設けられている。
【００１８】
後面板１の上端には、蓋面板１９が設けられ、また、蓋面板１９の上端には前覆い面板２０が設けられ、更に、前覆い面板２０の上端には、差込部１５、１６に差し込んで係止するための差込片２１、２２が設けられている。また、左側面板２と右側面板４の上端には、上フラップ２３、２４が設けられている。
【００１９】
図３は、本発明の仕切り付き包装箱の一例を製函するために貼着した状態を模式的に示した説明図である。図４は、従来の仕切り付き包装箱の一例を製函するために貼着した状態を模式的に示した説明図である。図５は、本発明の仕切り付き包装箱の一例の製函した状態を模式的に正面で示した説明図である。図６は、本発明の仕切り付き包装箱の一例の製函した状態を模式的に平面で示した説明図である。図７は、本発明の仕切り付き包装箱の一例を製函し、閉じた状態を模式的に斜視で示した説明図である。
【００２０】
図１の展開図のようなブランクから、本例の仕切り付き包装箱１００を製函するには、貼着板５のおもて面にグルーなどの接着剤を塗布し、また、仕切り貼着板９の裏面、貼合板１２、１４のおもて面にも接着剤を塗布する。
【００２１】
次に、貼合板１２、１４を外側に折った状態で、後部底板１１と前部底板１３をそれぞれ後面板１、前面板３の裏側になるように内側に折込み、また、底フラップ１７、１８もそれぞれ左側面板２、と右側面板４の裏側になるように内側に折込み、この状態で、後面板１と左側面板２の間の折罫を折り、前面板３と右側面板４の間の折罫を折る。これによって、図３のように、周壁の角筒状をつぶす様に折り畳んだ状態の仕切り付き包装箱１００になる。
【００２２】
このようにして、貼着板５のおもて面を右側面板４の裏面に貼着し、仕切り貼着板９の裏面を後面板１の裏面（内面）に貼着させ、また、貼合板１２の裏面を底フラップ１７のおもて面に、貼合板１４の裏面を底フラップ１８のおもて面に、それぞれ貼合する。これにより底部はテーネス底と呼ばれる形式になり、周壁を角筒状に起こしたときにそれに伴って底部が形成されるようになる。
【００２３】
このとき、図４の従来の仕切りつき包装箱２００のように、仕切り貼着板と前面板の間の切断部分につなぎ部１０が設けられていないと、この後の搬送や集積などで積み重ねるときに、切断部分側の前面板が浮いてしまい、積み重ねられる他の包装箱が挟まってしまうことが有り、このトラブルによって、著しく生産性がそこなわれる恐れがある。
【００２４】
次に、後面板１、左側面板２、前面板３、右側面板４をそれぞれ隣り合う面板が、互いに直角になるように起こして、２対の対向する面板が角筒状の周壁を形成するようにする。底部はテーネス底なので、これに伴って形成される。また、仕切り貼着板９と前面板３の間の切断部分に設けられたつなぎ部１０は切断され、仕切り貼着板９と前面板３は切り離されて離れる。
【００２５】
これにより、仕切り付き包装箱１００は、図５の正面図、図６の平面図のように、その底部が形成され、角筒状の周壁も形成され、そして、仕切り板８が前面板３から後面板１に渡って設けられ、仕切り付き包装箱１００の内部が２つに仕切られる。
【００２６】
そして、上フラップ２３、２４を内側に倒し、蓋面板１９をその上に倒し、更に前覆い面板２０を、前面板３を覆うように倒して、最後に差込片２１、２２をそれぞれ差込部１
５、１６に差し込むことによって、図７のように閉じられた仕切り付き包装箱１００が、製函される。
【００２７】
以上のように、内容物を充填するときに、後面板１、左側面板２、前面板３、右側面板４をそれぞれ隣り合う面板が、互いに直角になるように起こして、２対の対向する面板が角筒状の周壁に形成するまでは、仕切り貼着板９と前面板３の間が、つなぎ部１０によって接続されているので、製函工程で、サック貼りして、周壁の角筒状をつぶす様に折り畳んだ状態に胴部を形成した後に、前面板などの切断した部分が浮いてしまって、集積などで積み重ねるときに、この浮いた部分に、他の包装箱が挟み込まれてしまうことがない。
【符号の説明】
【００２８】
１００・・・仕切り付き包装箱
２００・・・従来の仕切り付き包装箱
１・・・後面板
２・・・左側面板
３・・・前面板
４・・・右側面板
５・・・貼着板
６・・・切り欠き部
７・・・切り抜き部
８・・・仕切り板
９・・・仕切り貼着板
１０・・・つなぎ部
１１・・・後部底板
１２、１４・・・貼合板
１３・・・前部底板
１５、１６・・・差込部
１７、１８・・・底フラップ
１９・・・蓋面板
２０・・・前覆い面板
２１、２２・・・差込片
２３、２４・・・上フラップ
【図１】
2014237453.tif 000003
【図２】
2014237453.tif 000004
【図３】
2014237453.tif 000005
【図４】
2014237453.tif 000006
【図５】
2014237453.tif 000007
【図６】
2014237453.tif 000008
【図７】
2014237453.tif 000009